(57)【要約】【課題】メンテナンスの作業性を良好に維持しながらも、組み立ての作業性を良好化する。【解決手段】ホッパー１４の下部に、繰出しロール１７の回転に伴いホッパー１４内の肥料を繰り出す繰出しケース１６を連設し、肥料圧送用の気流を発生する送風機を設け、繰出しケース１６には、送風機からの気流を受け入れる気流受入れ口１９と、気流とともに繰出し肥料を作溝器に案内するための供給管を接続させる繰出し出口２０とを形成し、繰出しロール１７の回転軸芯ｘを含む面を割り面として前記繰出しケース１６を、ホッパー１４への連通接続部を備えた上側部分１６Ａと繰出し出口２０を備えた下側部分１６Ｂとに分割構成し、下側部分１６Ｂを上側部分１６Ａに揺動開閉自在に枢支連結する。【選択図】        図６
2004290116.tif 000002
【特許請求の範囲】
【請求項１】
粉粒状の肥料を貯溜するためのホッパーの下部に、内装した繰出しロールの回転に伴い前記ホッパー内の肥料を繰り出す繰出しケースを連設し、肥料圧送用の気流を発生する送風機を設け、前記繰出しケースには、前記送風機からの気流を受け入れる気流受入れ口と、気流とともに繰出し肥料を作溝器に案内するための供給管を接続させる繰出し出口とを形成してある水田作業機の施肥装置であって、前記繰出しロールの回転軸芯を含む面を割り面として前記繰出しケースを、前記ホッパーへの連通接続部を備えた上側部分と前記繰出し出口を備えた下側部分とに分割構成し、その下側部分を上側部分に揺動開閉自在に枢支連結してある水田作業機の施肥装置。
【請求項２】
前記下側部分に、閉塞状態において上側部分の開口周辺部に内方空間部を減少させる状態に接触変形して下側部分と上側部分との連通接続部をシールするシール材を保持させてある請求項１記載の水田作業機の施肥装置。
【請求項３】
前記繰出しケースの上側部分に、前記ホッパー内の残留肥料を流下させて接続する回収管に排出する残留肥料排出口を形成し、係合することにより前記回収管と残留肥料排出口とを連通接続状態に連結固定しかつ係合を解除することにより前記の連結固定を解除する固定手段を設けてある請求項１又は２記載の水田作業機の施肥装置。
【請求項４】
前記供給管の左右振れを規制する状態で供給管の上下移動を許容する管ガイドを設けてある請求項１〜３のいずれか一項に記載の水田作業機の施肥装置。
【請求項５】
自走機体に連設するとともに前記繰出しケースを固定支持する繰出しフレームに、前記供給管の繰出しフレームに対する第１設定レベルよりも下方への移動を左右振れを規制する状態で阻止するＵ字形の管ガイドを取り付けるとともに、供給管の繰出しフレームに対する第２設定レベルよりも上方への移動を阻止する上限形成部を備えさせてある請求項１〜４のいずれか一項に記載の水田作業機の施肥装置。
【請求項６】
前記繰出しケースの複数を左右に設定間隔を隔てて配置し、前記送風機を隣り合う繰出しケースの間の下方部に配置し、前記気流受入れ口を前記下側部分に形成し、前記送風機に連通接続させたＴ字形の気流分岐ダクトと前記繰出しケースの気流受入れ口に連通接続させた気流受入れダクトとを着脱自在に連通接続させてある請求項１〜５のいずれか一項に記載の水田作業機の施肥装置。
【請求項７】
前記気流受入れ口が、気流受入れダクトに接続分離自在なものである請求項６記載の水田作業機の施肥装置。
【発明の詳細な説明】
【０００１】
【発明の属する技術分野】
本発明は、粉粒状の肥料を貯溜するためのホッパーの下部に、内装した繰出しロールの回転に伴い前記ホッパー内の肥料を繰り出す繰出しケースを連設し、肥料圧送用の気流を発生する送風機を設け、前記繰出しケースには、前記送風機からの気流を受け入れる気流受入れ口と、気流とともに繰出し肥料を作溝器に案内するための供給管を接続させる繰出し出口とを形成してある田植機など水田作業機の施肥装置に関する。
【０００２】
【従来の技術】
従来では、繰出しロールの回転軸芯を含む面を割り面として前記繰出しケースを、前記ホッパーへの連通接続部を備えた上側部分と前記繰出し出口及び残留肥料排出口を備えた下側部分とに分割構成し、その下側部分を上側部分に対して着脱自在に装着し、下側部分の離脱により上側部分の下方部を開放しかつ装着により閉塞するようにしていた（例えば、特許文献１参照。）。
【０００３】
【特許文献１】
特開平１０ー３２７６３４号公報
【０００４】
【発明が解決しようとする課題】
上記従来の技術によるときは、上側部分の下方部を開放することにより、繰出しロールを取り出すことができて、繰出しロール及び繰出しケースの清掃などのメンテナンスを作業性良く行うことができる。
しかし、上記従来の技術によるときは、下側部分を開放のために上側部分から取り外すから、メンテナンス後の閉塞時、位置合わせや姿勢合わせなどが必要で閉塞、つまり、繰出しケースとしての組み立てを作業性良く行うことができなかった。
【０００５】
本発明の目的は、メンテナンスの作業性を良好に維持しながらも、組み立ての作業性を良好化する点にある。
【０００６】
【課題を解決するための手段】
請求項１に係る本発明による水田作業機の施肥装置の特徴・作用・効果は次の通りである。
【０００７】
〔特徴〕
粉粒状の肥料を貯溜するためのホッパーの下部に、内装した繰出しロールの回転に伴い前記ホッパー内の肥料を繰り出す繰出しケースを連設し、肥料圧送用の気流を発生する送風機を設け、前記繰出しケースには、前記送風機からの気流を受け入れる気流受入れ口と、気流とともに繰出し肥料を作溝器に案内するための供給管を接続させる繰出し出口とを形成してある水田作業機の施肥装置であって、前記繰出しロールの回転軸芯を含む面を割り面として前記繰出しケースを、前記ホッパーへの連通接続部を備えた上側部分と前記繰出し出口を備えた下側部分とに分割構成し、その下側部分を上側部分に揺動開閉自在に枢支連結してある点にある。
【０００８】
〔作用〕
繰出しケースを上側部分と下側部分とに分割構成して、上側部分の下方部を開放自在としながらも、上側部分に下側部分を枢支させて、上側部分に対する下側部分の揺動により下方部を開放するようにしてあるから、下側部分を閉塞する際、下側部分を上側部分に当たるように揺動させるだけで良く、下側部分の上側部分に対する位置合わせや姿勢合わせが不要である。
【０００９】
〔効果〕
従って、上側部分の下方部を開放して繰出しロールを取り出すことにより、繰出しロール及び繰出しケースのメンテナンスを作業性良く行えるようにしながらも、閉塞時における位置合わせや姿勢合わせといった面倒なことを不要化して、組み立て作業性を向上できるようになった。
【００１０】
請求項２に係る本発明による水田作業機の施肥装置の特徴・作用・効果は次の通りである。
【００１１】
〔特徴〕
上記請求項１に係る本発明による水田作業機の施肥装置において、前記下側部分に、閉塞状態において上側部分の開口周辺部に内方空間部を減少させる状態に接触変形して下側部分と上側部分との連通接続部をシールするシール材を保持させてある点にある。
【００１２】
〔作用〕
横断面形状がＵ字形など、内方空間を減少させる状態に接触変形する、つまり、大きく弾性変形するシール材で下側部分と上側部分との連通接続部をシールするようにしてあるから、上側部分と下側部分とに繰出しケースを分割しながらも、閉塞状態においてシール材が上側部分と下側部分とに確実に接触して連通接続部から水などが侵入することや供給されてくる空気が漏れることを確実に防止することができる。
【００１３】
〔効果〕
従って、繰出しケースを上側部分と下側部分とに分割するといったメンテナンス容易な形態を採用しながらも、組み立て状態におけるシール性を良好なものとして、繰出しケースの密閉性能を確実なものにできるようになった。
【００１４】
請求項３に係る本発明による水田作業機の施肥装置の特徴・作用・効果は次の通りである。
【００１５】
〔特徴〕
上記請求項１や２に係る本発明による水田作業機の施肥装置において、前記繰出しケースの上側部分に、前記ホッパー内の残留肥料を流下させて接続する回収管に排出する残留肥料排出口を形成し、係合することにより前記回収管と残留肥料排出口とを連通接続状態に連結固定しかつ係合を解除することにより前記の連結固定を解除する固定手段を設けてある点にある。
【００１６】
〔作用〕
繰出しケースに形成した残留肥料排出口に回収管を接続分離自在に連通接続させてあるから、回収管を残留肥料排出口に接続させての残留肥料回収を行えながらも、回収管を分離することにより残留肥料排出口に対する掃除などのメンテナンスを行うことができる。
しかも、固定手段の係脱により、残留肥料排出口に回収管を連通接続させた状態に固定することと分離すべく固定を解除することとを行うようにしてあるから、回収管の残留肥料排出口に対する接続・分離を工具なしで容易、迅速に行うことができる。
【００１７】
〔効果〕
従って、残留肥料を回収するための残留肥料排出口を形成しながらも、その残留肥料排出口に対するメンテナンス及びそれにまつわる回収管を着脱するといった事前・事後作業を作業性良く行えるようになった。
【００１８】
請求項４に係る本発明による水田作業機の施肥装置の特徴・作用・効果は次の通りである。
【００１９】
〔特徴〕
上記請求項１や２，３に係る本発明による水田作業機の施肥装置において、前記供給管の左右振れを規制する状態で供給管の上下移動を許容する管ガイドを設けてある点にある。
【００２０】
〔作用〕
管ガイドを設けて供給管の左右振れを規制するようにしてあるから、走行時に供給管が左右に振れて他物に接触するなどの干渉を防止することができる。
しかも、管ガイドは供給管の左右振れを規制するも下側部分の揺動開閉に伴う上下移動を許容するから、供給管を下側部分に接続したままでの下側部分の揺動開閉を許容することができる。
【００２１】
〔効果〕
従って、下側部分に供給管を接続したままでの下側部分の揺動開閉を許容して下側部分の揺動開閉性を良好なものにし、しかも、走行に伴う供給管の左右振れによる他物との接触など他物との相互干渉を防止できるようになった。
【００２２】
請求項５に係る本発明による水田作業機の施肥装置の特徴・作用・効果は次の通りである。
【００２３】
〔特徴〕
上記請求項１や２，３，４に係る本発明による水田作業機の施肥装置において、自走機体に連設するとともに前記繰出しケースを固定支持する繰出しフレームに、前記供給管の繰出しフレームに対する第１設定レベルよりも下方への移動を左右振れを規制する状態で阻止するＵ字形の管ガイドを取り付けるとともに、供給管の繰出しフレームに対する第２設定レベルよりも上方への移動を阻止する上限形成部を備えさせてある点にある。
【００２４】
〔作用〕
供給管の左右振れを防止するための管ガイドをＵ字形に形成することで供給管の移動の下限を規制し、繰出しフレームに上限形成部を備えさせることにより供給管の移動の上限を規制するようにしてあるから、管ガイド及び繰出しフレームの工夫で供給管が過剰に上下移動することによる他物との接触などの干渉を防止することができる。
【００２５】
〔効果〕
従って、走行時の供給管の左右振れに伴う供給管の他物との相互干渉及び供給管の上下移動に伴う供給管の他物との相互干渉といった不都合の防止を構造簡単・安価に達成できるようになった。
【００２６】
請求項６に係る本発明による水田作業機の施肥装置の特徴・作用・効果は次の通りである。
【００２７】
〔特徴〕
上記請求項１や２，３，４，５に係る本発明による水田作業機の施肥装置において、前記繰出しケースの複数を左右に設定間隔を隔てて配置し、前記送風機を隣り合う繰出しケースの間の下方部に配置し、前記気流受入れ口を前記下側部分に形成し、前記送風機に連通接続させたＴ字形の気流分岐ダクトと前記繰出しケースの気流受入れ口に連通接続させた気流受入れダクトとを着脱自在に連通接続させてある点にある。
【００２８】
〔作用〕
送風機を左右の繰出しケース間に配置して気流を左右の繰出しケースに分配するようにしてあるから、左右の繰出しケースへの気流供給を均等又はほぼ均等に行わせることができる。
しかも、送風機から繰出しケースへのダクトを、気流分岐ダクトと気流受入れダクトとに分割構成してあるから、ダクトの組み付け及びメンテナンスを容易に行うことができる。
【００２９】
〔効果〕
従って、各繰出しケースからの施肥を均等化でき、しかも、ダクトの組み付け性及びメンテナンス性を向上できるようになった。
【００３０】
請求項７に係る本発明による水田作業機の施肥装置の特徴・作用・効果は次の通りである。
【００３１】
〔特徴〕
上記請求項６に係る本発明による水田作業機の施肥装置において、前記気流受入れ口が、気流受入れダクトに接続分離自在なものである点にある。
【００３２】
〔作用〕
気流受入れ口が、気流受入れダクトに接続分離自在なものであるから、通常時には気流受入れ口を気流受入れダクトに接続させて所期の肥料の気流搬送を行いながらも、下側部分の揺動開放時には分離させておくことにより、この下側部分の揺動を行わせることができる。
【００３３】
〔効果〕
従って、肥料を気流搬送する形式を採用しながらも、下側部分の揺動開閉を行えるようになった。
【００３４】
【発明の実施の形態】
水田作業機の一例である田植機は、図１、図２に示すように、自走機体１の後部に水田作業装置の一例である六条植え式の苗植付け装置２をリンク機構３を介して昇降自在に連結し、圧油供給に伴い前記苗植付け装置２を上昇させるとともに排油に伴い苗植付け装置２を重量で下降させる油圧シリンダ利用のリフトシリンダ４を設け、植付けに伴い施肥するための施肥装置を設けて構成されている。
【００３５】
前記自走機体１は、左右一対の操向用の駆動前輪５と左右一対の駆動後輪６とを備えた機体フレーム７に、エンジン８、駆動前輪５を操向操作するためのステアリングハンドル９、運転座席１０などを組み付けて構成されている。
【００３６】
前記施肥装置は、前記自走機体１に搭載される本体と、前記苗植付け装置２に装備されて植付け走行に伴い植え付け条の横脇に施肥用の溝を形成するとともに前記本体から供給管１１を介して送られてくる粉粒状の肥料を溝に供給する作溝器１２とから構成されている。
【００３７】
前記本体は、前記苗植付け装置２の作動に連動して肥料を繰り出す肥料繰出し機と、繰出し肥料を気流搬送するための、つまり、肥料圧送用の気流を発生する電動式の送風機１３とを備えている。
【００３８】
前記肥料繰出し機は、図３〜図５にも示すように、下部に四つのホッパー口が左右に並置形成された粉粒状の肥料を貯溜するためのホッパー１４と、前記各ホッパー口から肥料を二条分ずつ繰出す四つの繰出し器１５とから構成されている。
【００３９】
前記繰出し器１５は、全て同一構造のものであって、図６、図７に詳しく示すように、前記ホッパー１４の下部にホッパー口に連通接続する状態に繰出しケース１６を連設し、この繰出しケース１６に、左右向き軸芯ｘ周りに回転することでホッパー１４内の肥料を条毎に分けて下方に繰り出す繰出しロール１７を内装するとともに、前記送風機１３からダクト１８を介して送られてくる気流を受け入れる各条に対応した二つの筒状の気流受入れ口１９と前記供給管１１を接続させて前記受け入れた気流とともに落下してくる繰出し肥料をその接続させた供給管１１に排出する二つの筒状の繰出し出口２０とホッパー１４内の残留肥料を接続させた回収管２１に流下排出する残留肥料排出口２２とを形成して構成されている。
【００４０】
かつ、繰出し器１５は、図８にも示すように、前記繰出しロール１７の各条に対応するロール部分への肥料供給路の半分を開閉するスライド式の第１シャッター２３と、残る半分を開閉するスライド式の第２シャッター２４と、前記残留肥料排出口への肥料流路を開閉するバタフライ式の残留シャッター２５とを装備している。つまり、残留シャッター２５を閉塞した状態で第１シャッター２３のみを開放することにより半量繰り出しを行い、その状態で第２シャッター２４も開放することにより全量繰り出しを行い、第１シャッター２３及び第２シャッター２４を閉塞した状態で残留シャッター２５を開放することによりホッパー１４内の残留肥料を回収管２１を介してバケツなどに流下回収するようになっている。
【００４１】
そして、作溝器１２のうち左側外の作溝器１２には、左側外の繰出し器１５の一方の繰出し出口２０からの肥料を供給し、左側中央の作溝器１２には、左側外の繰出し器１５の他方の繰出し出口２０からの肥料を供給し、左側内の作溝器１２には、左側内の繰出し器１５の一方の繰出し出口２０からの肥料を供給し、右側外の作溝器１２には、右側外の繰出し器１５の一方の繰出し出口２０からの肥料を供給し、右側中央の作溝器１２には、右側外の繰出し器１５の他方の繰出し出口２０からの肥料を供給し、右側内の作溝器１２には、右側内の繰出し器１５の一方の繰出し出口２０からの肥料を供給するようにしている。なお、左側内及び右側内の繰出し器１５のにおいては、他方の繰出し出口２０からの肥料供給を阻止するように、他方の繰出し出口２０に対応する第１シャッター２３と第２シャッター２４とをともに閉塞作動させて他方の繰出し出口２０に肥料を繰り出さないようにするとともに、他方の繰出し出口２０に栓２０ａをしておく。
【００４２】
前記繰出しケース１６は、前記左右向き軸芯ｘ、つまり、繰出しロール１７の回転軸芯を含む水平面Ｙを割り面として上側部分１６Ａと下側部分１６Ｂとに分割構成されている。
【００４３】
前記上側部分１６Ａには、前記ホッパー１４への連通接続部が装備され、前記残留肥料排出口２２が形成されている。
【００４４】
前記下側部分１６Ｂには、前記気流受入れ口１９と繰出し出口２０とが形成されており、図９、図１０にも示すように、上側部分１６Ａに対して正規の姿勢にある閉塞状態において上側部分１６Ａの開口周辺部に接触することにより内方空間部２６ａを減少させる状態に弾性変形して上側部分１６Ａとの連通接続部をシールするシール材２６が保持されている。
【００４５】
そして、前記下側部分１６Ｂは、図９の（イ）（ロ）に示すように、上側部分１６Ａに揺動開閉自在に枢支連結されている。つまり、前記左右向き軸芯ｘと平行な第２左右向き軸芯ｘ２周りに上下揺動自在に上側部分１６Ａに装着されている。また、この下側部分１６Ｂには、閉塞姿勢への揺動に伴って前記上側部分１６Ａに形成の係合部１６ａに自動的に弾性係合することで下側部分１６Ｂを閉塞姿勢に保持する左右一対のラッチ１６ｂが人為的に係合解除操作可能な状態で一体形成されている。
【００４６】
また、前記繰出し器１５には、図１１の（イ）（ロ）に示すように、係合することにより前記回収管２１と残留肥料排出口２２とを連通接続状態に連結固定しかつ係合を解除することにより前記の固定連結を解除する固定手段が設けられている。詳述すると、この固定手段は、残留肥料排出口２２に係合部２２ａを形成し、回収管２１の残留肥料排出口２２への差込み接続部２１Ａに、残留肥料排出口２２への差し込みに伴い前記係合部２２ａに自動的に弾性係合することにより差込み接続部２１Ａを抜け止めする一対のラッチ２１ａを人為操作で解除自在な状態に一体連設して構成されている。
【００４７】
前記繰出しロール１７は、前記苗植付け装置２への伝動系に連動する左右向き姿勢の駆動軸２７にギヤ対２８を介して連動することにより駆動されるものであって、駆動軸２７とギヤ２８との間には、駆動軸２７からギヤ２８への伝動を断続する施肥クラッチ２９が構成されている。
【００４８】
従って、各繰出しロール１７、つまりは、繰出し器１５に対する施肥クラッチ２９の全部を入り作動させることにより、六つの作溝器１２のそれぞれに肥料を供給しての全条施肥を行え、左側外の繰出し器１５に対する施肥クラッチ２９を切り作動させるとともに他の施肥クラッチ２９を入り作動させることにより、右側三条・左側内一条の施肥を行え、左側二つの繰出し器１５に対する施肥クラッチ２９を切り作動させるとともに右側二つの繰出し器１５に対する施肥クラッチ２９を入り作動させることにより、右側三条の施肥を行え、左側二つの繰出し器１５及び右側内の繰出し器１５に対する施肥クラッチ２９を切り作動させるとともに右側外の繰出し器１５に対する施肥クラッチ２９を入り作動させることにより、右側外・右側中央二条の施肥を行える。かつ、右側外の繰出し器１５に対する施肥クラッチ２９を切り作動させるとともに他の施肥クラッチ２９を入り作動させることにより、左側三条・右側内一条の施肥を行え、右側二つの繰出し器１５に対する施肥クラッチ２９を切り作動させるとともに左側二つの繰出し器１５に対する施肥クラッチ２９を入り作動させることにより、左側三条の施肥を行え、右側二つの繰出し器１５及び左側内の繰出し器１５に対する施肥クラッチ２９を切り作動させるとともに左側外の繰出し器１５に対する施肥クラッチ２９を入り作動させることにより、左側外・左側中央二条の施肥を行える。
【００４９】
また、肥料繰出し機は、自走機体１の機体フレーム７に連設の繰出しフレーム３０に支持されている。詳述すると、繰出しフレーム３０は、左右に間隔を隔てて機体フレーム７に連結支持されるの支柱３０ａとそれらに連結支持される左右向き姿勢のビーム３０ｂとから構成され、ビーム３０ｂに繰出し器１５の繰出しケース１６を連結支持させ、この繰出しケース１６にホッパー１４を接続支持させている。
【００５０】
そして、前記供給管１１のそれぞれは、図１２、図１３に示すように、前記繰出しフレーム３０のうちビーム３０ｂに一端でボルト止めされ、他端をビーム３０ｂに重ねるＵ字形の管ガイド３１により左右振れを規制された状態で設定範囲での上下移動を許容されるようになっている。詳述すると、管ガイド３１の対向部分を左右振れ止め部３２として左右振れを規制され、管ガイド３１の繋ぎ部分を下限形成部３３として第１設定レベルよりも下方への移動を阻止され、ビーム３０ｂを上限形成部３４として第２設定レベルよりも上方への移動を阻止されるようになっている。なお、供給管１１を管ガイド３１の対向部分間に設置する手段としては、供給管１１を一端側から対向部分間に挿通させて行っても良いが、管ガイド３１を弾性変形させる状態で他端ビーム３０ｂから離間させることにより、管ガイド３１の他端とビーム３０ｂとの間に供給管１１の途中を通して対向部分間に移入させる隙間を形成する手段を採用することができる。
【００５１】
前記送風機１３は、遠心式のものであって、左右に並置する前記繰出し器１５のうち左右内側の二つの間の下方部に位置する状態で機体フレーム７に取り付けられており、前記ダクト１８は、図１４に示すように、送風機１３への気流受入れ用の接続部３５Ａと左右向き姿勢で互いに反対方向に接続部３５Ａからの気流を噴出す左右一対の噴出し口部３５Ｂとを備えたＴ字形の気流分岐ダクト３５と、一端において前記噴出し口部３５Ｂに接続し中間において前記繰出しケース１６の気流受入れ口１９に接続する左右向き姿勢の左右一対の気流受入れダクト３６とから構成されている。
前記気流分岐ダクト３５の噴出し口部３５Ｂと気流受入れダクト３６との接続手段は、両者を同軸芯状態に位置させ、両者間にわたって継ぎ手管３７を外装する手段であって、継ぎ手管３７を噴出し口部３５Ｂのみに抜け止めすることにより、分離させることができるようになっている。
継ぎ手管３７を両者間にわたる接続位置に固定する手段は、気流受入れダクト３６の外周面に突起３８を連設し、継ぎ手管３７に、継ぎ手管３７が気流受入れダクト３６に対して設定回転姿勢に位置するとき前記突起３８を移入させて継ぎ手管３７の気流受入れダクト３６に外装する位置への軸芯に沿った移動を許容するスライド案内溝３９と、継ぎ手管３７が軸芯方向で接続位置に位置した状態での継ぎ手管３７の気流受入れダクト３６に対する軸芯周り一方向への設定量の回転を許容して継ぎ手管３７の気流受入れダクト３６に対する軸芯に沿った方向での移動を阻止する、つまり、継ぎ手管３７を接続位置において気流受入れダクト３６に対して抜け止めする周溝４０とを形成する手段である。
【００５２】
前記繰出しケース１６に形成の気流受入れ口１９は、気流受入れダクト３６に対して接続分離自在なものである。詳述すると、気流受入れ口１９は、気流受入れダクト３６の周部に貫通形成した孔４１から気流受入れダクト３６内にその先端開口部を位置させることにより気流受入れダクト３６に連通接続するものであって、弾性変形することにより、前記繰出しケース１６の下側部分１６Ｂが閉塞姿勢に揺動位置する状態で孔４１に対して挿抜できるものである。従って、下側部分１６Ｂを揺動開放する場合には、気流受入れ口１９を孔４１から抜き出すことにより、気流受入れダクト３６に対する連通接続を解除してその下側部分１６Ｂの揺動開放を阻害しないようになり、下側部分１６Ｂを閉塞揺動させた場合には、気流受入れダクト３６に孔４１に挿入することで気流受入れダクト３６に連通接続するのである。
【００５３】
〔別実施形態〕
上記実施の形態では、六条植え式の苗植付け装置２を備えた田植機に適用したが、本発明は、六条以外の複数条施肥を行う施肥装置にも適用できる。
【図面の簡単な説明】
【図１】全体の側面図
【図２】全体の平面図
【図３】施肥装置要部の背面図
【図４】肥料繰出し機の切り欠き側面図
【図５】肥料繰出し機要部の正面図
【図６】繰出し器の縦断側面図
【図７】繰出し器の縦断正面図
【図８】繰出しケースの平面図
【図９】繰出しケースの開閉状態を示す縦断側面図
【図１０】シールの平面図
【図１１】回収管着脱状態を示す横断平面図
【図１２】供給管のガイド構造を示す縦断側面図
【図１３】供給管のガイド構造を示す横断平面図
【図１４】ダクト構造を示す切り欠き正面図
【符号の説明】
１４          ホッパー
１７          繰出しロール
１６          繰出しケース
１３          送風機
１９          気流受入れ口
１２          作溝器
１１          供給管
２０          繰出し出口
ｘ            回転軸芯
１６Ａ        上側部分
１６Ｂ        下側部分
２６ａ        内方空間部
２６          シール材
２１          回収管
２２          残留肥料排出口
３１          管ガイド
１            自走機体
３０          繰出しフレーム
３１          管ガイド
３４          上限形成部
３５          気流分岐ダクト
３６          気流受入れダクト
【図１】
2004290116.tif 000003
【図２】
2004290116.tif 000004
【図３】
2004290116.tif 000005
【図４】
2004290116.tif 000006
【図５】
2004290116.tif 000007
【図６】
2004290116.tif 000008
【図７】
2004290116.tif 000009
【図８】
2004290116.tif 000010
【図９】
2004290116.tif 000011
【図１０】
2004290116.tif 000012
【図１１】
2004290116.tif 000013
【図１２】
2004290116.tif 000014
【図１３】
2004290116.tif 000015
【図１４】
2004290116.tif 000016